(57)【要約】【課題】本発明は、認知能力と、身体のバランス機能の維持・発達とを同時に訓練し得るブレインバランス身体訓練装置を提供する。【解決手段】被検者の転倒防止用の転倒防止保護柵を立設した被検者載置用の基体と、基体に配置した被検者の体重移動に伴う荷重変化を４分割領域で測定する踏板状の重心測定板６と、転倒防止保護柵に付設した各種情報を表示する表示手段７と、重心測定板６及び移動時間測定手段１４からの測定信号に基づき、重心測定板６上における各位置の被検者の重心位置及びその変化の軌跡を演算するとともに、演算した重心位置、その変化の軌跡を表示手段７の画面上に４分割態様でモニタ表示させる重心位置演算処理手段１３と、各位置間の被検者の体重移動時間を測定し、表示手段７に表示させる移動時間測定手段１４とを有することを特徴とする。【選択図】図２
2008154815.tif 000002
【特許請求の範囲】
【請求項１】
被検者載置用の基体と、
前記基体に配置した被検者の体重移動に伴う荷重変化を４分割領域で測定する踏板状の重心測定板と、
各種情報を表示する表示手段と、
前記重心測定板からの測定信号に基づき前記重心測定板上における各位置の被検者の重心位置を演算するとともに、演算した重心位置を前記表示手段の画面上にモニタ表示させる重心位置演算処理手段と、
を有することを特徴とするブレインバランス身体訓練装置。
【請求項２】
被検者の転倒防止用の転倒防止保護柵を立設した被検者載置用の基体と、
前記基体に配置した被検者の体重移動に伴う荷重変化を左上、右上、左下、右下の４分割領域で測定する踏板状の重心測定板と、
前記転倒防止保護柵に付設した各種情報を表示する表示手段と、
前記重心測定板からの測定信号に基づき、前記重心測定板上における各左上、右上、左下、右下の各位置の被検者の重心位置及びその変化の軌跡を演算するとともに、演算した重心位置、その変化の軌跡を前記表示手段の画面上に左上、右上、左下、右下の４分割態様でモニタ表示させる重心位置演算処理手段と、
前記左上、右上、左下、右下の各位置間の被検者の体重移動時間を測定し、表示手段に表示させる移動時間測定手段と、
を有することを特徴とするブレインバランス身体訓練装置。
【請求項３】
被検者の転倒防止用の転倒防止保護柵を立設した被検者載置用の基体と、
前記転倒防止保護柵に付設した各種情報を表示する表示手段と、
文字や色による訓練用の体重移動指示情報を前記表示手段に送り４分割表示させる訓練補助情報出力手段と、
前記基体に配置した被検者の体重移動に伴う荷重変化を左上、右上、左下、右下の４分割領域で測定する踏板状の重心測定板と、
前記重心測定板からの測定信号に基づき前記重心測定板上における各位置の被検者の重心位置を演算するとともに、演算した重心位置を前記表示手段の画面上にモニタ表示させる重心位置演算処理手段と、
を有し、
前記表示手段に表示される体重移動指示情報に伴う被検者の重心測定板上における左上、右上、左下又は右下への実際の体重移動を重心測定板により測定し、重心位置演算処理手段により実際の重心位置を演算してモニタ表示させることで、前記被検者の知的機能と体バランス訓練を行うようにしたことを特徴とするブレインバランス身体訓練装置。
【請求項４】
被検者の転倒防止用の転倒防止保護柵を立設した被検者載置用の基体と、
前記転倒防止保護柵に付設した各種情報を表示する表示手段と、
前記基体に配置した被検者の体重移動に伴う荷重変化を左上、右上、左下、右下の４分割領域で測定する踏板状の重心測定板と、
文字や色による訓練用の体重移動指示情報と、任意の歌の歌詞又は色付き歌詞とを前記表示手段に送るとともに、前記歌詞又は色付き歌詞に対応するメロディを発音する訓練補助情報出力手段と、
前記重心測定板からの測定信号に基づき前記重心測定板上における各位置の被検者の重心位置を演算するとともに、演算した重心位置を前記表示手段の画面上にモニタ表示させる重心位置演算処理手段と
を有し、
前記歌詞又は色付き歌詞及び前記メロディに応じて被検者が歌いながら前記体重移動指示に応じて重心測定板上で左上、右上、左下又は右下へ体重移動を行い、このときの荷重変化を重心測定板により測定し、重心位置演算処理手段により実際の重心位置を演算してモニタ表示させることで、前記被検者の知的機能と体バランス訓練を行うようにしたことを特徴とするブレインバランス身体訓練装置。
【請求項５】
被検者の転倒防止用の転倒防止保護柵を立設した被検者載置用の基体と、
前記転倒防止保護柵に付設した各種情報を表示する表示手段と、
前記基体に配置した被検者の体重移動に伴う荷重変化を左上、右上、左下、右下の４分割領域で測定する踏板状の重心測定板と、
被検者の前頭葉ワーキングメモリの負荷量を変化させる計算等の課題と、体重移動指示情報とを表示手段に送り４分割表示させる訓練補助情報出力手段と、
前記重心測定板からの測定信号に基づき前記重心測定板上における各位置の被検者の重心位置及びその移動軌跡を演算するとともに、演算した重心位置、移動軌跡を前記表示手段の画面上にモニタ表示させる重心位置演算処理手段と、
前記左上、右上、左下、右下の各位置間の被検者の体重移動時間を測定し表示手段に表示させる移動時間測定手段と、
を有し、
前記課題と、体重移動指示情報とに応じた被検者の重心測定板上での体重移動に伴う荷重変化を重心測定板により測定し、重心位置演算処理手段により実際の重心位置を演算してモニタ表示させるとともに前記体重移動時間の測定結果により、被検者の前頭葉ワーキングメモリの負荷量の変化に伴う重心移動及びその速度の訓練を行うようにしたことを特徴とするブレインバランス身体訓練装置。
【請求項６】
被検者の転倒防止用の転倒防止保護柵を立設した被検者載置用の基体と、
前記転倒防止保護柵に付設した各種情報を表示する表示手段と、
前記基体に配置した被検者の体重移動に伴う荷重変化を左上、右上、左下、右下の４分割領域で測定する踏板状の重心測定板と、
前記表示手段に、体重移動用の体重移動指示情報と、この体重移動指示情報に応じた色付きマーク等からなる移動軌跡指標とを送り表示させる訓練補助情報出力手段と、
前記重心測定板からの測定信号に基づき前記重心測定板上における各位置の被検者の重心位置及びその移動軌跡を演算するとともに、演算した重心位置、移動軌跡を前記表示手段の画面上にモニタ表示させる重心位置演算処理手段と、
前記左上、右上、左下、右下の各位置間の被検者の体重移動時間を測定する移動時間測定手段と、
を有し、
被検者の前記体重移動指示情報、移動軌跡指標に応じた体重移動に伴って前記重心測定板により測定し重心位置演算処理手段により演算する実際の重心位置及びその移動軌跡と、前記移動時間測定手段により測定する体重移動時間とにより、前記被検者の体重移動指示情報、移動軌跡指標に応じた体重移動、反応時間を訓練することを特徴とするブレインバランス身体訓練装置。
【請求項７】
被検者の転倒防止用の転倒防止保護柵を立設した被検者載置用の基体と、
前記転倒防止保護柵に付設した各種情報を表示する表示手段と、
前記基体に配置した被検者の体重移動に伴う荷重変化を左上、右上、左下、右下の４分割領域で測定する踏板状の重心測定板と、
前記表示手段に任意形状の図形情報と、この図形情報上で連続的に変化する軌線情報とを送り表示させる訓練補助情報出力手段と、
前記重心測定板からの測定信号に基づき前記重心測定板上における各位置の被検者の重心位置及びその移動軌跡を演算するとともに、演算した重心位置、移動軌跡を前記表示手段の画面上にモニタ表示させる重心位置演算処理手段と、
を有し、
前記図形情報及び軌線情報に応じた被検者の重心測定板上における実際の連続的な体重移動に伴う荷重変化を重心測定板により測定し、重心位置演算処理手段により演算して被検者の重心移動を追跡することで、被検者の動的バランス訓練を行うことを特徴とするブレインバランス身体訓練装置。
【発明の詳細な説明】
【技術分野】
【０００１】
本発明は、ブレインバランス身体訓練装置に関し、詳しくは、ヒト前頭葉における認知能力と、体のバランスを制御する運動能力の維持・発達を同時に訓練するブレインバランス身体訓練装置に関するものである。
【背景技術】
【０００２】
従来、認知症の回復トレーニングは、例えば、単純なクイズ形式の質問を被検者に出し、その回答を得て認知症の予防もしくは回復を図る方法や、装置が開発されているが、この場合には知的機能の活性化を図っているだけにすぎず、知的機能と運動機能とにアンバランスが生じてしまう。
【０００３】
特許文献１には、重心計上に載ったに対して表示手段の画面に目標重心位置を表示して、被検者が目標重心位置に合わせるように体重移動を行い、重心計により被検者の重心位置を測定してその重心制御能力を算出するように構成した運動能力評価システムが提案されている。
【０００４】
しかし、特許文献１の場合には、被検者の身体の運動機能の訓練を主体としたものであり、被検者の知的機能の活性化までは考慮されていない。
【特許文献１】特開２００５−１８５５５７号公報
【発明の開示】
【発明が解決しようとする課題】
【０００５】
本発明が解決しようとする問題点は、認知能力と、身体のバランス機能の維持・発達とを同時に訓練し得るブレインバランス身体訓練装置が存在しない点である。
【課題を解決するための手段】
【０００６】
本発明のブレインバランス身体訓練装置は、ヒト前頭葉における認知能力と、身体のバランス機能の維持・発達とを同時に訓練し得る身体訓練装置を提供するという目的を、被検者載置用の基体と、前記基体に配置した被検者の体重移動に伴う荷重変化を４分割領域で測定する踏板状の重心測定板と、各種情報を表示する表示手段と、前記重心測定板からの測定信号に基づき前記重心測定板上における各位置の被検者の重心位置を演算するとともに、演算した重心位置を前記表示手段の画面上にモニタ表示させる重心位置演算処理手段と、を有することを最も主要な特徴とする。
【発明の効果】
【０００７】
請求項１記載の発明によれば、被検者が重心測定板上に載って立位の姿勢をとり、重心測定板上で任意の態様で体重移動を行うことによって、自らの判断で、知的機能の訓練と、これに伴う自らの体重移動という体バランスの訓練とを同時並行的に効率よく行うことができるブレインバランス身体訓練装置を提供することができる。
【０００８】
請求項２記載の発明によれば、被検者が重心測定板上に載って立位の姿勢をとり、重心測定板上で左上測定板、右上測定板、左下測定板、右下測定板を利用して任意の態様で体重移動を行うことによって、自らの判断で知的機能の訓練と、これに伴う自らの体重移動という体バランスの訓練とを同時並行的に効率よく行うことができるブレインバランス身体訓練装置を提供することができる。
【０００９】
請求項３記載の発明によれば、被検者が文字や色からなる体重移動指示情報を利用して、重心測定板上で左上測定板、右上測定板、左下測定板、右下測定板を利用して任意の態様で体重移動を行うことによって、文字や色からなる体重移動指示情報の判断という知的機能の訓練と、これに伴う自らの体重移動という体バランスの訓練とを同時並行的に効率よく行うことができるブレインバランス身体訓練装置を提供することができる。
【００１０】
請求項４記載の発明によれば、被検者が赤とんぼ等の歌を歌いながら重心測定板上で重心測定板上で左上測定板、右上測定板、左下測定板、右下測定板を利用し、体重移動指示情報に応じて体重移動を行うことで、歌唱という知的機能の訓練と、これに伴う自らの体重移動という体バランスの訓練とを同時並行的に効率よく行うことができるブレインバランス身体訓練装置を提供することができる。
【００１１】
請求項５記載の発明によれば、被検者は、計算問題等の課題に対応して重心測定板上で左上測定板、右上測定板、左下測定板、右下測定板を利用し、体重移動を行うことで、被検者は前頭葉ワーキングメモリの負荷量の変化を伴う体バランス訓練を効果的に行うことができるブレインバランス身体訓練装置を提供することができる。
【００１２】
請求項６記載の発明によれば、被検者は、体重移動指示情報、移動軌跡指標に対応して重心測定板上で左上測定板、右上測定板、左下測定板、右下測定板を利用し、体重移動を行うことで、知的訓練を伴う体重移動及びその反応時間を速めようとする訓練を効果的に行うことができるブレインバランス身体訓練装置を提供することができる。
【００１３】
請求項７記載の発明によれば、被検者の連続的な体重移動用の図形情報と、この図形情報上で連続的に変化する軌線情報とを表示手段に表示し、これに対応して被検者が重心測定板上で軌線情報に追随して常に重心位置を変える体重移動を行うことで、被検者が軌線情報に追随するという知的訓練を伴う動的バランスの訓練を効果的に行うことができるブレインバランス身体訓練装置を提供することができる。
【発明を実施するための最良の形態】
【００１４】
本発明は、認知能力と、身体のバランス機能の維持・発達とを同時に訓練し得るブレインバランス身体訓練装置を提供するという目的を、被検者の転倒防止用の転倒防止保護柵を立設した被検者載置用の基体と、前記基体に配置した被検者の体重移動に伴う荷重変化を左上、右上、左下、右下の４分割領域で測定する踏板状の重心測定板と、前記転倒防止保護柵に付設した各種情報を表示する表示手段と、前記重心測定板及び移動時間測定手段からの測定信号に基づき、前記重心測定板上における各左上、右上、左下、右下の各位置の被検者の重心位置及びその変化の軌跡を演算するとともに、演算した重心位置、その変化の軌跡を前記表示手段の画面上に左上、右上、左下、右下の４分割態様でモニタ表示させる重心位置演算処理手段と、前記左上、右上、左下、右下の各位置間の被検者の体重移動時間を測定し、表示手段に表示させる移動時間測定手段と、を有する構成により実現した。
【実施例】
【００１５】
以下に、本発明の実施例に係るブレインバランス身体訓練装置について図面を参照して詳細に説明する。
【００１６】
（実施例１）
本実施例１に係るブレインバランス身体訓練装置１は、図１、図２に示すように、身体訓練器１と、測定装置２と、前記身体訓練器１と測定装置２とを接続しこれらの間で必要な信号伝送等を行う接続ケーブル３とを有している。
【００１７】
前記身体訓練器１は、被検者載置用の箱型状の基体４と、この基体４の一方の隅部両端から上方に向けて立設した被検者Ｍの転倒防止用の略長方形状の転倒防止保護柵５と、前記基体に配置した被検者Ｍの体重移動に伴う荷重変化を左上、右上、左下、右下の４分割領域で測定する詳細は後述する踏板状の重心測定板６と、前記転倒防止保護柵５の上部で重心測定板６上の被検者Ｍが正面から視認可能な位置に設置した各種情報を表示する液晶ディスプレイ等からなる表示手段７と、前記転倒防止保護柵５に例えば前記表示手段７の横位置となる配置で付設した詳細は後述する各種の訓練補助情報を出力する訓練補助情報出力手段１２の一部を構成するスピーカ８と、を有している。
【００１８】
前記表示手段７の端部には、前記被検者Ｍが操作するスタートスイッチ９ａ、ストップスイッチ９ｂを付加している。また、前記転倒防止保護柵５には、被検者Ｍが両手で把持可能な位置に一対の把持アーム５ａ、５ｂを付加して、より確実に被検者Ｍの転倒防止を図るように構成している。
前記重心測定板６は、図３に示すように、例えば歪センサ又はロードセル等を用いて構成した４枚構成、すなわち、左前足位置に対応する左上測定板６ａ、右前足位置に対応する右上測定板６ｂ、左後足位置に対応する左下測定板６ｃ、右後足位置に対応する右下測定板６ｄを全体として略正方形を呈する配置とした４枚分割構成としている。
【００１９】
前記測定装置２は、図１、図２に示すように、本実施例１に係るブレインバランス身体訓練装置１によるブレインバランス身体訓練を実行するための動作プログラムを格納したプログラムメモリ１１と、前記動作プログラムに基づきこのブレインバランス身体訓練装置１の各要素を制御するＣＰＵ１０と、各種の訓練補助情報を出力する前記訓練補助情報出力手段１２と、前記重心測定板６からの測定信号に基づき、重心測定板６上における各左上測定板６ａ、右上測定板６ｂ、左下測定板６ｃ、右下測定板６ｄ上の各位置の被検者Ｍの重心位置及びその変化の軌跡を演算するとともに、演算した重心位置、その変化の軌跡を前記表示手段７の画面上に前記左上測定板６ａ、右上測定板６ｂ、左下測定板６ｃ、右下測定板６ｄによる測定結果に対応して図３に示すように左上、右上、左下、右下の４分割態様でモニタ表示させる重心位置演算処理手段１３と、前記左上、右上、左下、右下の各位置間の被検者Ｍの体重移動時間を測定し、表示手段７に表示させる移動時間測定手段１４と、を有している。
【００２０】
更に、前記測定装置２は、各種情報入力を行うためのキーボード１５と、各種情報を表示する測定装置側表示手段１６と、前記訓練補助情報出力手段１２、前記重心位置演算処理手段１３からの各種情報を前記表示手段７の表示用に変換して表示手段７に送り表示させる表示制御部１７と、前記重心測定板６からの測定信号をＡＤ（アナログ／デジタル）変換するＡＤ変換部１８とを有している。
なお、前記訓練補助情報出力手段１２の詳細内容については、以下に述べる各実施例毎に詳述する。
【００２１】
前記重心位置演算処理手段１３は、図２に示すように、前記重心測定板６を構成する前記左上測定板６ａ、右上測定板６ｂ、左下測定板６ｃ、右下測定板６ｄに対応する前記表示手段７用の４分割態様の表示パターン、すなわち、左上表示パターン２６ａ、右上表示パターン２６ｂ、左下表示パターン２６ｃ、右下表示パターン２６ｄを図３に示すＸ、Ｙ座標に関連付けて格納した表示パターン格納部２１と、前記重心測定板６により測定する被検者Ｍの体重移動に伴う荷重変化の測定信号を取り込み、前記左上表示パターン２６ａ、右上表示パターン２６ｂ、左下表示パターン２６ｃ、右下表示パターン２６ｄと対応付けて被検者Ｍの重心位置を演算する演算部２２と、この演算部２２の演算結果に基づき被検者Ｍの重心変位の軌跡を作成する軌跡情報作成部２３と、前記被検者Ｍの重心位置、重心変位の軌跡を記憶する処理情報記憶部２４と、を具備している。
【００２２】
前記移動時間測定手段１４は、図２に示すように、前記演算部２２にて演算する被検者Ｍの重心位置の情報に基づき、前記被検者Ｍの前記左上測定板６ａ、右上測定板６ｂ、左下測定板６ｃ、右下測定板６ｄ間の重心の移動時間を測定する移動時間測定部２５と、移動時間測定部２５にて測定した移動時間の情報を記憶する移動時間記憶部２７とを具備している。
【００２３】
なお、本実施例１においては、前記重心測定板６を構成する前記左上測定板６ａ、右上測定板６ｂ、左下測定板６ｃ、右下測定板６ｄの配置を、重心測定板６を下面側から見た配置として図３に表示し、これに対応して前記左上表示パターン２６ａ、右上表示パターン２６ｂ、左下表示パターン２６ｃ、右下表示パターン２６ｄも前記重心測定板６に対応する表示態様で表している。
【００２４】
次に、本実施例１に係るブレインバランス身体訓練装置１による被検者Ｍのブレインバランス身体訓練動作について図４、図５及び図６をも参照して説明する。
【００２５】
本実施例１に係るブレインバランス身体訓練装置１を可動状態とし、被検者Ｍが前記重心測定板６上に載って立位の姿勢をとり、把持アーム５ａ、５ｂを両手で把持した後、前記スタートスイッチ９ａを押す。
【００２６】
これにより、ブレインバランス身体訓練装置１において前記動作プログラムによるブレインバランス身体訓練動作が開始する。すなわち、前記スタートスイッチ９ａを押した後、例えば被検者Ｍが最初に前記左上測定板６ａを左足で踏んで体重を載せ、次に右上測定板６ｂを右足で踏んで体重を載せたものとする。
なお、前記重心測定板６上の被検者Ｍの体重移動の態様はこの他種々あることはいうまでもない。
【００２７】
このとき、被検者Ｍの体重移動に伴いまず前記左上測定板６ａが被検者Ｍの体重による荷重を測定し測定信号を前記接続ケーブル３を介して測定装置２に送信し、次いで前記右上測定板６ｂが被検者Ｍの体重による荷重を測定し測定信号を前記接続ケーブル３を介して測定装置２に送信する。
前記測定装置２においては、前記ＡＤ変換部１８により各測定信号がデジタル信号に変換された後、ＣＰＵ１０による制御の基に重心位置演算処理手段１３に伝送される。
【００２８】
重心位置演算処理手段１３の演算部２２は、前記左上測定板６ａ、右上測定板６ｂからの各測定信号と、前記表示パターン格納部２１に記憶した左上表示パターン２６ａ、右上表示パターン２６ｂとを基に、前記Ｘ、Ｙ座標に関連付けつつ被検者Ｍの重心位置の変化を演算する。
具体的には、被検者Ｍの前記左上測定板６ａから右上測定板６ｂへの重心位置の変化を特定し、例えば図５に示すように左上表示パターン２６ａの位置に「１」、右上表示パターン２６ｂの位置に「２」を付するような演算を実行する。また、前記軌跡情報作成部２３は、演算部２２の演算結果に基づき図５に示すような被検者Ｍの重心変位の軌跡（矢印で示す）を作成する。
【００２９】
これら演算部２２の演算結果及び前記重心変位の軌跡は、前記処理情報記憶部２４に記憶され、更に、ＣＰＵ１０による制御の基に前記表示制御部１７を経て表示手段７に送信され、その画面上に４分割態様でモニタ表示される。
【００３０】
このとき、ＣＰＵ１０による制御の基に前記移動時間測定手段１４の移動時間測定部２５により、被検者Ｍの前記左上測定板６ａから右上測定板６ｂへの重心位置の変化の時間を測定（例えば５秒、８秒等）し、測定結果を前記移動時間記憶部２７に記憶するとともに、前記表示制御部１７を経て表示手段７に送信し、図６に示すように、その画面上に「３秒かかりました。」等のように表示することももちろん可能である。
【００３１】
このようにして、本実施例１に係るブレインバランス身体訓練装置１によれば、被検者Ｍは、前記重心測定板６上に載って立位の姿勢をとり、把持アーム５ａ、５ｂを両手で把持した状態で、前記左上測定板６ａ、右上測定板６ｂ、左下測定板６ｃ、右下測定板６ｄを利用して任意の態様で体重移動を行うことによって、自らの判断で、知的機能の訓練と、これに伴う自らの体重移動という体バランスの訓練とを同時並行的に効率よく行うことができる。
【００３２】
（実施例２）
本発明の実施例２に係るブレインバランス身体訓練装置１について図７乃至図１０を参照して説明する。
【００３３】
本実施例２に係るブレインバランス身体訓練装置１は、基本的構成は実施例１に係るブレインバランス身体訓練装置１と同様であるが、本実施例２においては、前記訓練補助情報出力手段１２に訓練補助情報メモリ３１を設け、この訓練補助情報メモリ３１に、文字や色による訓練用の体重移動指示情報等を格納して、前記表示手段７に表示される体重移動指示情報等に伴う被検者Ｍの重心測定板６上における左上、右上、左下又は右下への実際の体重移動を重心測定板６により測定し、重心位置演算処理手段１３により実際の重心位置を演算して表示手段７にモニタ表示させることで、被検者Ｍの知的機能と体バランス訓練を行うようにしたことが特徴である。
【００３４】
すなわち、本実施例２においては、前記訓練補助情報メモリ３１に、図９左欄及び右欄に示すような文字情報からなる体重移動指示情報、赤色の左上表示パターン２６ａ、白地黒枠からなる右上表示パターン２６ｂ、緑色の左下表示パターン２６ｃ、黄色の右下表示パターン２６ｄ、及び、丸枠で囲んだ「赤」の文字を含む体重移動指示パターン２６ｅを表示させる各表示パターンの情報、図１０右欄に示す「正解です。」等のメッセージ情報を格納し、前記動作プログラムに基づきこれらの情報を被検者Ｍの訓練に対応して前記表示手段７に順に送り表示するように構成している。
【００３５】
次に、本実施例２に係るブレインバランス身体訓練装置１による被検者Ｍの知的機能と体バランス訓練動作について図８をも参照して説明する。
【００３６】
本実施例２に係るブレインバランス身体訓練装置１を可動状態とし、被検者Ｍが前記重心測定板６上に載って立位の姿勢をとり、把持アーム５ａ、５ｂを両手で把持した後、前記スタートスイッチ９ａを押す。
【００３７】
これにより、ブレインバランス身体訓練装置１において前記動作プログラムによる被検者Ｍの知的機能と体バランス訓練動作が実行される。
すなわち、被検者Ｍが前記スタートスイッチ９ａを押すと、まず前記動作プログラムに基づくＣＰＵ１０の制御により前記訓練補助情報メモリ３１に格納した図９左欄に示すような被検者Ｍの体重移動を指示する文字情報からなる体重移動指示情報が読み出され、前記表示制御部１７を経て表示手段７送られて表示される。
【００３８】
次に、同じくＣＰＵ１０の制御により赤色の左上表示パターン２６ａ、白地黒枠からなる右上表示パターン２６ｂ、緑色の左下表示パターン２６ｃ、黄色の右下表示パターン２６ｄ、及び、丸枠で囲んだ「赤」の文字を含む体重移動指示パターン２６ｅの情報が前記訓練補助情報メモリ３１から読み出され、前記表示制御部１７を経て表示手段７に送られて表示される。
【００３９】
前記重心測定板６上の被検者Ｍは、表示手段７に表示される前記体重移動指示情報、各表示パターンの情報を視認し、例えば当初重心測定板６上における右下測定板６ｄにかけていた体重を前記「赤」の文字を含む体重移動指示パターン２６ｅに対応して赤色の左上表示パターン２６ａに対応する左上測定板６ａ上に移動する。
【００４０】
このとき、被検者Ｍの体重移動に伴いまず右下測定板６ｄが被検者Ｍの体重による荷重を測定し測定信号を前記接続ケーブル３を介して測定装置２に送信し、次いで左上測定板６ａが被検者Ｍの体重による荷重を測定し測定信号を前記接続ケーブル３を介して測定装置２に送信する。
【００４１】
前記測定装置２においては、前記ＡＤ変換部１８により各測定信号がデジタル信号に変換された後、ＣＰＵ１０による制御の基に重心位置演算処理手段１３に伝送される。
【００４２】
重心位置演算処理手段１３の演算部２２は、前記右下測定板６ｄ、左上測定板６ａからの各測定信号と、前記各表示パターンとを基に、前記Ｘ、Ｙ座標に関連付けつつ被検者Ｍの重心位置の変化を演算し、前記右下測定板６ｄから左上測定板６ａへの重心位置の変化を特定する。
更に、前記軌跡情報作成部２３は、演算部２２の演算結果に基づき図１０左欄に示すような被検者Ｍの重心変位の軌跡（矢印で示す）を作成する。
【００４３】
これら演算部２２の演算結果及び前記重心変位の軌跡は、前記処理情報記憶部２４に記憶され、更に、ＣＰＵ１０による制御の基に前記表示制御部１７を経て表示手段７に送信され、その画面上に４分割態様でモニタ表示される。
更に、このときの被検者Ｍの体重移動が正解であれば、前記動作プログラムに基づくＣＰＵ１０の制御により前記訓練補助情報メモリ３１に格納した図１０右欄に示す「正解です。」等のメッセージ情報が読み出され、前記表示制御部１７を経て表示手段７送られて表示される。
【００４４】
このようにして、本実施例２に係るブレインバランス身体訓練装置１によれば、前記文字情報からなる体重移動指示情報及び前記色付きの各表示パターンを利用して、重心測定板６上の被検者Ｍが体重移動を行うことで、この被検者Ｍは、前記体重移動指示情報及び前記色付きの各表示パターンの判断という知的機能の訓練と、これに伴う自らの体重移動という体バランスの訓練とを同時並行的に効率よく行うことができる。
【００４５】
（実施例３）
本発明の実施例３に係るブレインバランス身体訓練装置１について図１１至図１４を参照して説明する。
【００４６】
本実施例３に係るブレインバランス身体訓練装置１は、基本的構成は実施例１に係るブレインバランス身体訓練装置１と同様であるが、本実施例３においては、前記訓練補助情報出力手段１２に、図１３左欄に示すような文字情報又は色付き（赤色等）文字情報からなる体重移動指示情報、図１４右欄に示すような「正解です。」等のメッセージ情報を格納し訓練補助情報メモリ４１と、任意の歌（例えば「赤とんぼ」等の歌詞又は色付き歌詞を格納した歌詞メモリ４２と、「赤とんぼ」の歌詞に対応したメロディを格納したメロディ格納部４３と、「赤とんぼ」の歌詞とメロディとを同期させて出力させる同期コントローラ４４と、を設け、被検者Ｍが歌いながら前記体重移動指示情報に応じて重心測定板６上で左上、右上、左下又は右下へ体重移動を行い、このときの荷重変化を重心測定板６により測定し、重心位置演算処理手段１３により実際の重心位置を演算し、表示手段７にモニタ表示させることで、前記被検者Ｍの知的機能と体バランス訓練を行うにしたことが特徴である。
【００４７】
すなわち、本実施例３においては、前記訓練補助情報メモリ４１に、図１２左欄に示すような文字情報又は色付き（赤色等）文字情報からなる体重移動指示情報（例えば、左前足位置から右前足位置に体重移動しましょう。等）を格納し、歌詞メモリ４２に「夕焼け小焼けの赤とんぼ・・・・」等の歌詞を格納し、メロディ格納部４３に「赤とんぼ」の歌詞に対応したメロディを格納して、前記動作プログラムに基づきこれらの情報を被検者Ｍの訓練に対応して前記表示手段７に順に送り表示したり、前記スピーカ８に前記メロディを送って発音し、被検者Ｍの体重移動指示と、被検者Ｍの歌唱の補助とを行うように構成している。
【００４８】
次に、本実施例３に係るブレインバランス身体訓練装置１による被検者Ｍの知的機能と体バランス訓練動作について図１２をも参照して説明する。
【００４９】
本実施例３に係るブレインバランス身体訓練装置１を可動状態とし、被検者Ｍが前記重心測定板６上に載って立位の姿勢をとり、把持アーム５ａ、５ｂを両手で把持した後、前記スタートスイッチ９ａを押す。
【００５０】
これにより、ブレインバランス身体訓練装置１において前記動作プログラムによる被検者Ｍの知的機能と体バランス訓練動作が実行される。
【００５１】
すなわち、被検者Ｍが前記スタートスイッチ９ａを押すと、まず前記動作プログラムに基づくＣＰＵ１０の制御により前記訓練補助情報メモリ４１に格納した図１３左欄に示す体重移動指示情報が読み出され、前記表示制御部１７を経て表示手段７送られて表示される。
【００５２】
次に、同じくＣＰＵ１０の制御により前記歌詞メモリ４２、メロディ格納部４３から「赤とんぼ」の歌詞、及び、そのメロディが読み出され、前記同期コントローラ４４により同期が取られつつ前記表示制御部１７を経て表示手段７に送られて表示され、また、スピーカからメロディが発音される。
【００５３】
前記重心測定板６上の被検者Ｍは、表示手段７に表示される前記体重移動指示情報、前記「赤とんぼ」の歌詞を順に視認するとともに、前記スピーカ８からのメロディを聴いて「赤とんぼ」の歌を歌いながら前記体重移動指示情報に応じて重心測定板６上における左前足位置に対応する左上測定板６ａから右前足位置に対応する右上測定板６ｂへと体重移動する。
【００５４】
このとき、被検者Ｍの体重移動に伴いまず左上測定板６ａが被検者Ｍの体重による荷重を測定し測定信号を前記接続ケーブル３を介して測定装置２に送信し、次いで右上測定板６ｂが被検者Ｍの体重による荷重を測定し測定信号を前記接続ケーブル３を介して測定装置２に送信する。
【００５５】
前記測定装置２においては、前記ＡＤ変換部１８により各測定信号がデジタル信号に変換された後、ＣＰＵ１０による制御の基に重心位置演算処理手段１３に伝送される。
【００５６】
重心位置演算処理手段１３の演算部２２は、前記右下測定板６ｄ、左上測定板６ａからの各測定信号と、前記各表示パターンとを基に、前記Ｘ、Ｙ座標に関連付けつつ被検者Ｍの重心位置の変化を演算し、前記左上測定板６ａから右上測定板６ｂへの重心位置の変化を演算し特定する。
更に、前記軌跡情報作成部２３は、演算部２２の演算結果に基づき図１４左欄に示すような被検者Ｍの重心変位の軌跡（矢印で示す）を作成する。
【００５７】
これら演算部２２の演算結果及び前記重心変位の軌跡は、前記処理情報記憶部２４に記憶され、更に、ＣＰＵ１０による制御の基に前記表示制御部１７を経て表示手段７に送信され、その画面上に４分割態様でモニタ表示される。
更に、このときの被検者Ｍの体重移動が正解であれば、前記動作プログラムに基づくＣＰＵ１０の制御により前記訓練補助情報メモリ４１に格納した図１４右欄に示す「正解です。」等のメッセージ情報が読み出され、前記表示制御部１７を経て表示手段７送られて表示される。
【００５８】
このようにして、本実施例３に係るブレインバランス身体訓練装置１によれば、被検者Ｍは、例えば「赤とんぼ」の歌を歌いながら重心測定板６上で前記体重移動指示情報に応じて体重移動を行うことで、歌唱という知的機能の訓練と、これに伴う自らの体重移動という体バランスの訓練とを同時並行的に効率よく行うことができる。
【００５９】
（実施例４）
本発明の実施例４に係るブレインバランス身体訓練装置１について図１５至図１８を参照して説明する。
【００６０】
本実施例４に係るブレインバランス身体訓練装置１は、基本的構成は実施例１に係るブレインバランス身体訓練装置１と同様であるが、本実施例４においては、前記訓練補助情報出力手段１２に訓練補助情報メモリ５１を設け、この訓練補助情報メモリ５１に、被検者Ｍの前頭葉ワーキングメモリの負荷量を変化させる課題情報（例えば（１＋２＝）等の計算問題及び解答）、課題情報に対応した体重移動指示を行うための表示パターン情報、「正解です。」等のメッセージ情報を格納し、これらを利用して被検者Ｍの重心測定板６上での体重移動に伴う荷重変化を重心測定板６により測定し、重心位置演算処理手段１３により実際の重心位置を演算してモニタ表示させるとともに被検者Ｍの体重移動時間を測定して、被検者の前頭葉ワーキングメモリの負荷量の変化に伴う重心移動及びその速度の訓練を行うようにしたことが特徴である。
【００６１】
すなわち、本実施例４においては、前記訓練補助情報メモリ５１に、図１７左欄に示すような課題情報（例えば（１＋２＝）等の計算問題及び解答）及び体重移動指示のメッセージ、前記課題情報に対応した体重移動指示を行うための図１７右欄に示すような赤色で計算問題中の数値２を付した左上表示パターン２６ａ、白地黒枠からなり計算問題中の数値１を付した右上表示パターン２６ｂ、緑色の左下表示パターン２６ｃ、黄色の右下表示パターン２６ｄ、及び、右下表示パターン２６ｄに重ねたスタート指示用の黒色表示パターン２６ｆからなる各表示パターンの情報、「正解です。」等のメッセージ情報を格納し、前記動作プログラムに基づきこれらの情報を被検者Ｍの訓練に対応して前記表示手段７に順に送り表示することで、被検者の前頭葉ワーキングメモリの負荷量の変化に伴う重心移動及びその速度の訓練を行うようにしている。
【００６２】
次に、本実施例４に係るブレインバランス身体訓練装置１による被検者Ｍの前頭葉ワーキングメモリの負荷量の変化に伴う重心移動及びその速度の訓練動作について図１６をも参照して説明する。
【００６３】
本実施例４に係るブレインバランス身体訓練装置１を可動状態とし、被検者Ｍが前記重心測定板６上に載って立位の姿勢をとり、把持アーム５ａ、５ｂを両手で把持した後、前記スタートスイッチ９ａを押す。
【００６４】
これにより、ブレインバランス身体訓練装置１において前記動作プログラムによる被検者Ｍの前頭葉ワーキングメモリの負荷量の変化に伴う重心移動及びその速度の訓練動作が実行される。
【００６５】
すなわち、被検者Ｍが前記スタートスイッチ９ａを押すと、まず前記動作プログラムに基づくＣＰＵ１０の制御により前記訓練補助情報メモリ５１に格納した図１７左欄に示すような被検者Ｍの課題情報である例えば（１＋２＝）等の計算問題及び体重移動指示のメッセージが読み出され、前記表示制御部１７を経て表示手段７に送られて表示される。
【００６６】
次に、同じくＣＰＵ１０の制御により前記訓練補助情報メモリ５１に格納した図１７右欄に示す各表示パターンの情報が読み出され、前記表示制御部１７を経て表示手段７送られて表示される。
【００６７】
前記重心測定板６上の被検者Ｍは、表示手段７に表示される前記計算問題及び体重移動指示のメッセージ、前記各表示パターンの情報を視認し、図１８左欄に示すように、まず、数値１を付した右上表示パターン２６ｂに対応する前記右上測定板６ｂに体重をかけ、次に数値２を付した左上表示パターン２６ａに対応する左上測定板６ａに体重を移動し、更に、緑色の左下表示パターン２６ｃ（計算問題１＋２＝の答である３に対応）に対応する左下測定板６ｃに体重を移動する。
【００６８】
このとき、被検者Ｍの体重移動に伴い、前記右上測定板６ｂ、左上測定板６ａ、左下測定板６ｃが被検者Ｍの体重による荷重を順に測定し、各測定信号を前記接続ケーブル３を介して測定装置２に送信する。
前記測定装置２においては、前記ＡＤ変換部１８により各測定信号がデジタル信号に変換された後、ＣＰＵ１０による制御の基に重心位置演算処理手段１３に伝送される。
【００６９】
前記重心位置演算処理手段１３の演算部２２は、前記各測定信号と、前記各表示パターンとを基に、前記Ｘ、Ｙ座標に関連付けつつ被検者Ｍの重心位置の変化を演算し、前記右上測定板６ｂ、左上測定板６ａ、左下測定板６ｃへの順を追った重心位置の変化を特定する。
更に、前記軌跡情報作成部２３は、演算部２２の演算結果に基づき図１８中欄に示すような被検者Ｍの重心変位の軌跡（矢印で示す）を作成する。
【００７０】
これら演算部２２の演算結果及び前記重心変位の軌跡は、前記処理情報記憶部２４に記憶する。
また、ＣＰＵ１０による制御の基に前記移動時間測定手段１４の移動時間測定部２５が前記右上測定板６ｂ、左上測定板６ａ、左下測定板６ｃへの順を追った重心位置の変化の時間を測定（例えば５秒等）し、測定結果を前記移動時間記憶部２７に記憶する。被検者Ｍの重心変位の軌跡は、ＣＰＵ１０による制御の基に前記表示制御部１７を経て表示手段７に送信され、その画面上に４分割態様でモニタ表示される。
【００７１】
このときの被検者Ｍの体重移動が前記計算問題（１＋２＝）及びその答３に対応していれば、すなわち、正解であれば、前記動作プログラムに基づくＣＰＵ１０の制御により前記訓練補助情報メモリ３１に格納したメッセージ及び前記測定時間の情報が読み出され、前記表示制御部１７を経て表示手段７送られて図１８右欄に示すような態様で表示手段７に表示される。
【００７２】
このようにして、本実施例４によれば、計算問題（１＋２＝）を表示手段７上に出題し、これに対応して被検者Ｍが重心測定板６上で右上測定板６ｂ、左上測定板６ａ、左下測定板６ｃの順で体重移動を行うことで、被検者Ｍは前頭葉ワーキングメモリの負荷量の変化を伴う体バランス訓練を効果的に行うことができる。
【００７３】
（実施例５）
本発明の実施例５に係るブレインバランス身体訓練装置１について図１９至図２２を参照して説明する。
【００７４】
本実施例５に係るブレインバランス身体訓練装置１は、基本的構成は実施例１に係るブレインバランス身体訓練装置１と同様であるが、本実施例５においては、前記訓練補助情報出力手段１２に、訓練補助情報メモリ６１を設け、この訓練補助情報メモリ６１に、被検者Ｍの体重移動用の体重移動指示情報と、この体重移動指示情報に応じた色付きマーク等からなる移動軌跡指標パターンと、「正解です。」等のメッセージ情報とを格納して、これらを表示手段７に送り表示して、前記被検者Ｍの体重移動指示情報、移動軌跡指標に応じた体重移動、反応時間を訓練することが特徴である。
【００７５】
すなわち、前記訓練補助情報メモリ６１に、図２１左欄に示すような体重移動指示情報、図２１右欄に示すような左上表示パターン２６ａ、右上表示パターン２６ｂ、左下表示パターン２６ｃ、右下表示パターン２６ｄ及びこれらの間の移動順を示す例えば赤色等の色付き矢印マーク２６ｇ等からなる移動軌跡指標パターンの各情報、正解です。」等のメッセージ情報を格納し、前記動作プログラムに基づきこれらの情報を被検者Ｍの訓練に対応して前記表示手段７に順に送り表示し、被検者Ｍの体重移動及びその反応時間を訓練するように構成している。
【００７６】
次に、本実施例５に係るブレインバランス身体訓練装置１による被検者Ｍの体重移動及びその反応時間の訓練動作について図２０をも参照して説明する。
【００７７】
本実施例５に係るブレインバランス身体訓練装置１を可動状態とし、被検者Ｍが前記重心測定板６上に載って立位の姿勢をとり、把持アーム５ａ、５ｂを両手で把持した後、前記スタートスイッチ９ａを押す。
【００７８】
これにより、ブレインバランス身体訓練装置１において前記動作プログラムによる被検者Ｍの体重移動及びその反応時間の訓練が実行される。
すなわち、被検者Ｍが前記スタートスイッチ９ａを押すと、まず前記動作プログラムに基づくＣＰＵ１０の制御により前記訓練補助情報メモリ６１に格納した図２１左欄に示すような体重移動指示情報、図２１右欄に示す左上表示パターン２６ａ、右上表示パターン２６ｂ、左下表示パターン２６ｃ、右下表示パターン２６ｄ及びこれらの間の移動順を示す例えば赤色等の色付き矢印マーク２６ｇの情報が読み出され、前記表示制御部１７を経て表示手段７に送られて順に表示される。
【００７９】
前記重心測定板６上の被検者Ｍは、表示手段７に表示される体重移動指示情報、各表示パターン及び色付き矢印マーク２６ｇの情報を視認し、色付き矢印マーク２６ｇに従って図２２左欄に示すように、まず、右上測定板６ｂに体重をかけ、次に、右下測定板６ｄ、左上測定板６ａ、左下測定板６ｃの順に体重を移動する。
【００８０】
このとき、被検者Ｍの体重移動に伴い、前記右上測定板６ｂ、右下測定板６ｄ、左上測定板６ａ、左下測定板６ｃが被検者Ｍの体重による荷重を順に測定し、各測定信号を前記接続ケーブル３を介して測定装置２に送信する。
前記測定装置２においては、前記ＡＤ変換部１８により各測定信号がデジタル信号に変換された後、ＣＰＵ１０による制御の基に重心位置演算処理手段１３に伝送される。
【００８１】
重心位置演算処理手段１３の演算部２２は、前記各測定信号と、前記各表示パターンとを基に、前記Ｘ、Ｙ座標に関連付けつつ被検者Ｍの重心位置の変化を演算し、前記右上測定板６ｂ、右下測定板６ｄ、左上測定板６ａ、左下測定板６ｃへの順を追った重心位置の変化を特定する。
【００８２】
更に、前記軌跡情報作成部２３は、演算部２２の演算結果に基づき図２２中欄に示すような被検者Ｍの重心変位の軌跡（矢印で示す）を作成する。これら演算部２２の演算結果及び前記重心変位の軌跡は、前記処理情報記憶部２４に記憶する。
また、ＣＰＵ１０による制御の基に前記移動時間測定手段１４の移動時間測定部２５が前記右上測定板６ｂ、右下測定板６ｄ、左上測定板６ａ、左下測定板６ｃへの順を追った重心位置の変化の時間を測定（例えば５秒等）し、測定結果を前記移動時間記憶部２７に記憶する。被検者Ｍの重心変位の軌跡は、ＣＰＵ１０による制御の基に前記表示制御部１７を経て表示手段７に送信され、その画面上に４分割態様でモニタ表示される。
【００８３】
このときの被検者Ｍの体重移動が前記色付きマーク等からなる移動軌跡指標パターンに対応していれば、すなわち、正解であれば、前記動作プログラムに基づくＣＰＵ１０の制御により前記訓練補助情報メモリ６１に格納したメッセージ及び前記測定時間の情報が読み出され、前記表示制御部１７を経て表示手段７送られて図２２右欄に示すような態様で表示される。
【００８４】
このようにして、実施例５によれば、被検者Ｍの体重移動用の体重移動指示情報と、この体重移動指示情報に応じた色付きマーク等からなる移動軌跡指標パターンを表示手段７に表示し、これに対応して被検者Ｍが重心測定板６上で移動軌跡指標に対応した体重移動を行うことで、被検者Ｍは移動軌跡指標に従うという知的訓練を伴う体重移動及びその反応時間を速めようとする訓練を効果的に行うことができる。すなわち、老化に伴う知的機能の劣化防止、更には姿勢維持のための訓練を効果的に行うことができる。
【００８５】
（実施例６）
本発明の実施例６に係るブレインバランス身体訓練装置１について図２３至図２６を参照して説明する。
【００８６】
本実施例６に係るブレインバランス身体訓練装置１は、基本的構成は実施例１に係るブレインバランス身体訓練装置１と同様であるが、実施例６においては、前記訓練補助情報出力手段１２に、動画情報をも記憶する訓練補助情報メモリ７１を設け、この訓練補助情報メモリ７１に、図２５右欄に示す任意形状の図形情報（花びら図形等）と、この図形情報上でゆっくりと、かつ、連続的に変化する軌線情報（図２５左欄に太線で示す）と、「い  ろ  は  に  ほ  へ  と」等々の添字とを含む動画情報パターンと、前記図形情報、軌線情報に対応する体重移動指示を行うための文字からなる体重移動指示情報と、図２５右欄に示す「正解です。」等のメッセージ情報を格納し、前記動作プログラムに基づきこれらの情報を被検者Ｍの訓練に対応して前記表示手段７に順に送り、前記図形情報及び軌線情報に応じた被検者Ｍの重心測定板６上における実際の連続的な体重移動に伴う荷重変化を重心測定板６により測定し、重心位置演算処理手段１３により演算して被検者Ｍの重心移動を動的に追跡することで、被検者Ｍの動的バランス（常に重心位置を変える線形動的バランス）の訓練を行うように構成している。
【００８７】
次に、本実施例６に係るブレインバランス身体訓練装置１による被検者Ｍの動的バランスの訓練動作について図２４をも参照して説明する。
【００８８】
本実施例６に係るブレインバランス身体訓練装置１を可動状態とし、被検者Ｍが前記重心測定板６上に載って立位の姿勢をとり、把持アーム５ａ、５ｂを両手で把持した後、前記スタートスイッチ９ａを押す。これにより、ブレインバランス身体訓練装置１において前記動作プログラムによる被検者Ｍの動的バランスの訓練が実行される。
【００８９】
すなわち、被検者Ｍが前記スタートスイッチ９ａを押すと、まず前記動作プログラムに基づくＣＰＵ１０の制御により前記訓練補助情報メモリ７１に格納した動画情報パターンの情報、体重移動指示情報が読み出され、前記表示制御部１７を経て表示手段７に送られて順に表示される。
【００９０】
前記重心測定板６上の被検者Ｍは、表示手段７に表示される動画情報パターンの情報、体重移動指示情報に従って図２６左欄に示すように、重心測定板６上で前記軌線情報に追従するように体重移動（点線で示す）を行う。
【００９１】
このとき、被検者Ｍの体重移動に伴い、重心測定板６は被検者Ｍの体重による荷重を連続的に測定し、測定信号を前記接続ケーブル３を介して測定装置２に送信する。
【００９２】
前記測定装置２においては、前記ＡＤ変換部１８により連続的な測定信号がデジタル信号に変換された後、ＣＰＵ１０による制御の基に前記重心位置演算処理手段１３に伝送される。
【００９３】
重心位置演算処理手段１３の演算部２２は、前記連続的な測定信号と、前記動画情報パターンとを基に、被検者Ｍの重心位置の変化を連続的に演算し、連続的な重心位置の変化を特定する。
【００９４】
更に、前記軌跡情報作成部２３は、演算部２２の演算結果に基づいて図２６中欄に示すような被検者Ｍの連続的な重心変位の軌跡（曲線矢印で示す）を追跡し軌跡情報を作成する。これら演算部２２の演算結果及び前記軌跡情報は、前記処理情報記憶部２４に記憶する。
【００９５】
被検者Ｍの重心変位の軌跡情報は、ＣＰＵ１０による制御の基に前記表示制御部１７を経て表示手段７に送信され、その画面上にモニタ表示される。このときの被検者Ｍの体重移動の軌跡が前記軌線情報に対応していれば、すなわち、正解であれば、前記動作プログラムに基づくＣＰＵ１０の制御により前記訓練補助情報メモリ７１に格納したメッセージの情報が読み出され、前記表示制御部１７を経て表示手段７送られて図２６右欄に示すような態様で表示される。
【００９６】
このようにして、本実施例６によれば、被検者Ｍの連続的な体重移動用の花びら図形等の図形情報と、この図形情報上でゆっくりと、かつ、連続的に変化する軌線情報と、添字とを含む動画情報パターンの情報を表示手段７に表示し、これに対応して被検者Ｍが重心測定板６上で前記軌線情報に追随して常に重心位置を変える体重移動を行うことで、被検者Ｍは前記軌線情報に追随するという知的訓練を伴う動的バランスの訓練を効果的に行うことができる。
【００９７】
以上説明した実施例１乃至６によれば、総じて知的訓練と身体機能のバランス訓練とを効果的に実行でき、特に、高齢者（老人）で失われる知的機能と姿勢維持機能の劣化・進行を抑え、機能回復を図ることができ認知症の予防に実益のある新規なブレインバランス身体訓練装置１を提供することができる。
【産業上の利用可能性】
【００９８】
本発明は、上述した認知症の予防の場合の他、手術後や疾病回復時のリハビリテーション用等として幅広く適用可能である。
【図面の簡単な説明】
【００９９】
【図１】本発明の実施例１に係るブレインバランス身体訓練装置の外観構成を示す概略斜視図である。
【図２】本実施例１に係るブレインバランス身体訓練装置の構成を示すブロック図である。
【図３】本実施例１に係るブレインバランス身体訓練装置の重心測定板及び表示手段を示す概略平面図である。
【図４】本実施例１に係るブレインバランス身体訓練装置による訓練の内容を示すフローチャートである。
【図５】本実施例１に係るブレインバランス身体訓練装置における重心測定板上の体重移動及び対応する表示手段上の軌跡表示態様を示す説明図である。
【図６】本実施例１に係るブレインバランス身体訓練装置における表示手段に表示する訓練結果に関するメッセージを示す説明図である。
【図７】本発明の実施例２に係るブレインバランス身体訓練装置の訓練補助情報出力手段の構成を示すブロック図である。
【図８】本実施例２に係るブレインバランス身体訓練装置による訓練の内容を示すフローチャートである。
【図９】本実施例２に係るブレインバランス身体訓練装置における表示手段に表示する体重移動指示情報及び表示パターンを示す説明図である。
【図１０】本実施例２に係るブレインバランス身体訓練装置における表示手段に表示する重心変位の軌跡及び訓練結果に関するメッセージを示す説明図である。
【図１１】本発明の実施例３に係るブレインバランス身体訓練装置の訓練補助情報出力手段の構成を示すブロック図である。
【図１２】本実施例３に係るブレインバランス身体訓練装置による訓練の内容を示すフローチャートである。
【図１３】本実施例３に係るブレインバランス身体訓練装置における表示手段に表示する体重移動指示情報及び歌詞を示す説明図である。
【図１４】本実施例３に係るブレインバランス身体訓練装置における表示手段に表示する重心変位の軌跡及び訓練結果に関するメッセージを示す説明図である。
【図１５】本発明の実施例４に係るブレインバランス身体訓練装置の訓練補助情報出力手段の構成を示すブロック図である。
【図１６】本実施例４に係るブレインバランス身体訓練装置による訓練の内容を示すフローチャートである。
【図１７】本実施例４に係るブレインバランス身体訓練装置における表示手段に表示する課題情報及び表示パターンを示す説明図である。
【図１８】本実施例４に係るブレインバランス身体訓練装置における重心測定板上の体重移動、表示手段に表示する重心変位の軌跡及び訓練結果に関するメッセージを示す説明図である。
【図１９】本発明の実施例５に係るブレインバランス身体訓練装置の訓練補助情報出力手段の構成を示すブロック図である。
【図２０】本実施例５に係るブレインバランス身体訓練装置による訓練の内容を示すフローチャートである。
【図２１】本実施例５に係るブレインバランス身体訓練装置における表示手段に表示する体重移動指示情報及び表示パターンを示す説明図である。
【図２２】本実施例５に係るブレインバランス身体訓練装置における重心測定板上の体重移動、表示手段に表示する重心変位の軌跡及び訓練結果に関するメッセージを示す説明図である。
【図２３】本発明の実施例６に係るブレインバランス身体訓練装置の訓練補助情報出力手段の構成を示すブロック図である。
【図２４】本実施例６に係るブレインバランス身体訓練装置による訓練の内容を示すフローチャートである。
【図２５】本実施例６に係るブレインバランス身体訓練装置における表示手段に表示する表示パターン及び体重移動指示情報を示す説明図である。
【図２６】本実施例６に係るブレインバランス身体訓練装置における重心測定板上の体重移動、表示手段に表示する重心変位の軌跡及び訓練結果に関するメッセージを示す説明図である。
【符号の説明】
【０１００】
１    ブレインバランス身体訓練装置
２    測定装置
３    接続ケーブル
４    基体
５    転倒防止保護柵
５ａ  把持アーム
５ｂ  把持アーム
６    重心測定板
６ａ  各左上測定板
６ｂ  右上測定板
６ｃ  左下測定板
６ｄ  右下測定板
７    表示手段
８    スピーカ
９ａ  スタートスイッチ
９ｂ  ストップスイッチ
１０    ＣＰＵ
１１    プログラムメモリ
１２    訓練補助情報出力手段
１３    重心位置演算処理手段
１４    移動時間測定手段
１５    キーボード
１６    測定装置側表示手段
１７    表示制御部
１８    ＡＤ変換部
２１    表示パターン格納部
２２    演算部
２３    軌跡情報作成部
２４    処理情報記憶部
２５    移動時間測定部
２６ａ  左上表示パターン
２６ｂ  右上表示パターン
２６ｃ  左下表示パターン
２６ｄ  右下表示パターン
２６ｅ  体重移動指示パターン
２６ｆ  黒色表示パターン
２６ｇ  色付き矢印マーク
２７    移動時間記憶部
３１    訓練補助情報メモリ
４１    訓練補助情報メモリ
４２    歌詞メモリ
４３    メロディ格納部
４４    同期コントローラ
５１    訓練補助情報メモリ
６１    訓練補助情報メモリ
７１    訓練補助情報メモリ
Ｍ    被検者
【図１】
2008154815.tif 000003
【図２】
2008154815.tif 000004
【図３】
2008154815.tif 000005
【図４】
2008154815.tif 000006
【図５】
2008154815.tif 000007
【図６】
2008154815.tif 000008
【図７】
2008154815.tif 000009
【図８】
2008154815.tif 000010
【図９】
2008154815.tif 000011
【図１０】
2008154815.tif 000012
【図１１】
2008154815.tif 000013
【図１２】
2008154815.tif 000014
【図１３】
2008154815.tif 000015
【図１４】
2008154815.tif 000016
【図１５】
2008154815.tif 000017
【図１６】
2008154815.tif 000018
【図１７】
2008154815.tif 000019
【図１８】
2008154815.tif 000020
【図１９】
2008154815.tif 000021
【図２０】
2008154815.tif 000022
【図２１】
2008154815.tif 000023
【図２２】
2008154815.tif 000024
【図２３】
2008154815.tif 000025
【図２４】
2008154815.tif 000026
【図２５】
2008154815.tif 000027
【図２６】
2008154815.tif 000028